(57)【要約】      （修正有）【課題】識別子情報を使った医用情報の管理システムにおいて、任意の時間や場所で医用情報を照会要求するユーザの視点で医用情報を取得すること。【解決手段】医用情報管理装置に、各種別が関連付けられる共通の識別子項目をもつ種別毎の識別子項目情報を記憶する記憶装置と、所要種別に関する識別子項目を受け付ける識別子項目提供部と、該所要種別に対応する識別子項目を取得する識別子項目取得部とを有し、医用情報生成装置に、識別子項目を要求する識別子項目要求部と、取得した識別子項目に応じて生成した識別子情報を基に識別子情報／医用情報を生成する識別子情報／医用情報生成部と、識別子情報又は識別子情報／医用情報を送信する送信部とを有し、医用情報管理装置に、識別子情報又は識別子情報／医用情報を受信する受信部と、受信した識別子情報又は識別子情報／医用情報を通過管理情報ＤＢとして記録する通過管理情報記録部とを有する。【選択図】図４
2007226447.tif 000002
【特許請求の範囲】
【請求項１】
医用情報を生成する医用情報生成装置と、この医用情報生成装置で生成した医用情報を管理する医用情報管理装置とを備え、前記医用情報生成装置及び前記医用情報管理装置を、ネットワーク網を介して相互接続するシステムにおいて、
前記医用情報生成装置に、
各種別同士が関連付けられる共通の識別子項目をもつように、種別毎の識別子項目情報を識別子項目情報ＤＢ（Data Base）として記憶する記憶装置と、
所要種別を基に前記識別子項目情報ＤＢを検索し、前記所要種別に対応する所要の識別子項目を取得する識別子項目取得部と、
前記識別子項目取得部で取得した前記所要の識別子項目に応じた識別子情報を生成する識別子情報生成部と、
医用情報が発生する種別の場合、前記医用情報を前記識別子情報と対応付けた識別子情報／医用情報を生成する識別子情報／医用情報生成部と、
前記識別子情報又は前記識別子情報／医用情報を前記ネットワーク網に送信する送信部とを有し、
前記医用情報管理装置に、
前記ネットワーク網から前記識別子情報又は前記識別子情報／医用情報を受信する受信部と、
前記受信部で受信した前記識別子情報又は前記識別子情報／医用情報を通過管理情報ＤＢとして記録したり、予め記憶された前記通過管理情報ＤＢに含まれる識別子情報に前記識別子情報又は前記識別子情報／医用情報に含まれる識別子情報を関連付けて前記通過管理情報ＤＢに追加記録したりする通過管理情報記録部とを有することを特徴とする医用情報管理システム。
【請求項２】
医用情報を生成する医用情報生成装置と、この医用情報生成装置で生成した医用情報を管理する医用情報管理装置とを備え、前記医用情報生成装置及び前記医用情報管理装置を、ネットワーク網を介して相互接続するシステムにおいて、
前記医用情報管理装置に、
各種別同士が関連付けられる共通の識別子項目をもつように、種別毎の識別子項目情報を識別子項目情報ＤＢとして記憶する記憶装置と、
前記医用情報生成装置から所要種別に関する識別子項目の提供を受け付ける識別子項目提供部と、
前記識別子項目提供部で受け付けた前記所要種別を基に前記識別子項目情報ＤＢを検索し、前記所要種別に対応する所要の識別子項目を取得する識別子項目取得部とを有し、
前記医用情報生成装置に、
前記所要の識別子項目を要求する識別子項目要求部と、
前記識別子項目取得部で取得した前記所要の識別子項目に応じた識別子情報を生成する識別子情報生成部と、
医用情報が発生する種別の場合、前記医用情報を前記識別子情報と対応付けた識別子情報／医用情報を生成する識別子情報／医用情報生成部と、
前記識別子情報又は前記識別子情報／医用情報を前記ネットワーク網に送信する送信部とを有し、
前記医用情報管理装置に、
前記ネットワーク網から前記識別子情報又は前記識別子情報／医用情報を受信する受信部と、
前記受信部で受信した前記識別子情報又は前記識別子情報／医用情報を通過管理情報ＤＢとして記録したり、予め記憶された前記通過管理情報ＤＢに含まれる識別子情報に前記識別子情報又は前記識別子情報／医用情報に含まれる識別子情報を関連付けて前記通過管理情報ＤＢに追加記録したりする通過管理情報記録部とを有することを特徴とする医用情報管理システム。
【請求項３】
前記医用情報管理装置に、所要の識別子情報に関する医用情報の照会要求を受け付ける医用情報照会要求受付部と、前記所要の識別子情報を基に前記通過管理情報ＤＢを検索し、前記所要の識別子情報に関する医用情報を取得する医用情報取得部と、前記医用情報取得部で取得した前記所要の識別子情報に関する医用情報を前記医用情報照会要求部に提供する医用情報提供部とを有し、前記所要の識別子情報に関する医用情報を、前記ネットワーク網を介して前記医用情報照会要求受付部に照会要求する医用情報照会要求部を有する医用情報照会装置を備えたことを特徴とする請求項１又は２に記載の医用情報管理システム。
【請求項４】
前記医用情報提供部は、前記記憶装置に記憶されているデータ表示条件に従って前記医用情報を加工して前記医用情報照会装置に提供することを特徴とする請求項３に記載の医用情報管理システム。
【請求項５】
前記医用情報照会装置に、前記所要の識別子情報に関する医用情報の検索条件を入力する入力装置と、前記検索条件を指定する検索条件指定画面を表示する表示装置とを有することを特徴とする請求項３に記載の医用情報管理システム。
【請求項６】
前記医用情報照会装置に、前記所要の識別子情報に関する医用情報の表示条件を入力する入力装置と、前記表示条件を指定する表示条件指定画面を表示する表示装置とを有することを特徴とする請求項３に記載の医用情報管理システム。
【請求項７】
各種別同士が関連付けられる共通の識別子項目をもつように、種別毎の識別子項目情報が識別子項目情報ＤＢとして記憶される識別子項目情報記憶工程と、
所要種別を基に前記識別子項目情報ＤＢを検索し、前記所要種別に対応する所要の識別子項目が取得される識別子項目取得工程と、
前記識別子項目取得工程で取得した前記識別子項目に応じた識別子情報が生成される識別子情報生成工程と、
医用情報が発生する種別の場合、前記医用情報を前記識別子情報と対応付けた識別子情報／医用情報が生成される識別子情報／医用情報生成工程と、
前記識別子情報又は前記識別子情報／医用情報が通過管理情報ＤＢとして記録されたり、予め記憶された前記通過管理情報ＤＢに含まれる識別子情報に前記識別子情報又は前記識別子情報／医用情報に含まれる識別子情報が関連付けられて前記通過管理情報ＤＢに追加記録されたりする通過管理情報記録工程とを有することを特徴とする医用情報管理方法。
【請求項８】
前記種別を、検査で行なわれる各工程とすることを特徴とする請求項７に記載の医用情報管理方法。
【請求項９】
前記識別子情報生成工程では、前記識別子情報に付帯情報が付与されることを特徴とする請求項７に記載の医用情報管理方法。
【請求項１０】
前記付帯情報を、識別子情報区分、流通範囲及び流通場所とすることを特徴とする請求項９に記載の医用情報管理方法。
【請求項１１】
前記医用情報を、その医用情報の生データ又はその生データを保管する照会先データとすることを特徴とする請求項７に記載の医用情報管理方法。
【請求項１２】
所要の識別子情報に関する医用情報の照会要求が受け付けられる医用情報照会要求受付工程と、前記所要の識別子情報を基に前記通過管理情報ＤＢを検索し、前記所要の識別子情報に関する医用情報が取得される医用情報取得工程と、前記医用情報取得工程で取得した前記所要の識別子情報に関する医用情報が提供される医用情報提供工程とを有することを特徴とする請求項７に記載の医用情報管理方法。
【請求項１３】
前記所要の識別子情報に関する医用情報の照会要求時に、前記所要の識別子情報に関する医用情報の検索条件が入力されることを特徴とする請求項１２に記載の医用情報管理方法。
【請求項１４】
前記所要の識別子情報に関する医用情報の照会要求時に、前記所要の識別子情報に関する医用情報の表示条件を入力されることを特徴とする請求項１２に記載の医用情報管理方法。
【請求項１５】
前記医用情報提供工程は、予め記憶したデータ表示条件に従って前記医用情報を加工して提供することを特徴とする請求項１２に記載の医用情報管理方法。
【発明の詳細な説明】
【技術分野】
【０００１】
本発明は、患者の医用情報を管理する技術に係り、特に、ユーザの視点で医用情報を照会する医用情報管理システム及び医用情報管理方法に関する。
【背景技術】
【０００２】
各医療機関では医用情報は時系列的に管理されており、他の医療機関で管理されている医用情報は、診療情報提供書により張り付けられた医用情報を照会することしかできなかった。このため、複数の医療機関では医用情報の共有ができない問題があり、また、医用情報の所在（受診履歴）が患者個人の記憶等に頼らざるを得ない等の問題点があった。
【０００３】
そこで、患者の医用情報を管理するためのシステムとして、患者識別子情報を利用してデータを管理するデータセンタを構築する技術がある（例えば、特許文献１及び２参照。）。データセンタでは、患者毎に定められた識別子情報としての患者ＩＤ（IDentification）情報を基に医用情報の管理を行なっている。
【０００４】
その他に、患者の医用情報を管理するためのシステムとして、個別のＩＤ情報を使いながら個別に管理されている情報を統合する方法として金融機関で行なわれる、いわゆる「名寄せ」処理を利用した技術がある（例えば、特許文献３参照。）。名寄せでは、個人の属性情報を用いて情報の統合を行なっている。この技術では、所属支所、組合員コード、性別、生年月日、電話番号及び住所が個人属性情報として使用されている。これらのシステムは、比較的短期間、例えば、１年に発生したデータの統合を目的としたものであり、個人属性情報が一定である。あるいは、その変更を管理できるという前提に立ったシステムである。
【特許文献１】特開２００４−１５２２１３号公報
【特許文献２】特開２００３−３３７８６１号公報
【特許文献３】特開２００４−７８３３６号公報
【発明の開示】
【発明が解決しようとする課題】
【０００５】
患者の医用情報を管理するためにデータセンタを構成する技術によると、そのデータセンタでは患者ＩＤ情報を基に医用情報を管理しているため、患者ＩＤ情報を全ての関連する医療機関で利用できる必要があった。それを実現するためには、各医療機関のシステムの改変が必要になるので、従来のデータセンタによる医用情報の管理は効率的な方法とはいえなかった。
【０００６】
また、名寄せ処理を応用する技術によると、患者の医用情報の管理を実現するためには、個人属性情報の変化を管理する必要があるので、効率的な方法とはいえなかった。
【０００７】
本発明は、上述した事情を考慮してなされたもので、ローカルの識別子情報を使った医用情報の管理システムを構成することができ、任意の時間や場所で医用情報を照会要求するユーザの視点で医用情報を照会することができる医用情報管理システム及び医用情報管理方法を提供することを目的とする。
【課題を解決するための手段】
【０００８】
本発明に係る医用情報管理システムは、上述した課題を解決するために請求項１に記載したように、医用情報を生成する医用情報生成装置と、この医用情報生成装置で生成した医用情報を管理する医用情報管理装置とを備え、前記医用情報生成装置及び前記医用情報管理装置を、ネットワーク網を介して相互接続するシステムにおいて、前記医用情報生成装置に、各種別同士が関連付けられる共通の識別子項目をもつように、種別毎の識別子項目情報を識別子項目情報ＤＢ（Data Base）として記憶する記憶装置と、所要種別を基に前記識別子項目情報ＤＢを検索し、前記所要種別に対応する所要の識別子項目を取得する識別子項目取得部と、前記識別子項目取得部で取得した前記所要の識別子項目に応じて識別子情報を生成する識別子情報生成部と、医用情報が発生する種別の場合、前記医用情報を前記識別子情報と対応付けた識別子情報／医用情報を生成する識別子情報／医用情報生成部と、前記識別子情報又は前記識別子情報／医用情報を前記ネットワーク網に送信する送信部とを有し、前記医用情報管理装置に、前記ネットワーク網から前記識別子情報又は前記識別子情報／医用情報を受信する受信部と、前記受信部で受信した前記識別子情報又は前記識別子情報／医用情報を通過管理情報ＤＢとして記録したり、予め記憶された前記通過管理情報ＤＢに含まれる識別子情報に前記識別子情報又は前記識別子情報／医用情報に含まれる識別子情報を関連付けて前記通過管理情報ＤＢに追加記録したりする通過管理情報記録部とを有する。
【０００９】
本発明に係る医用情報管理システムは、上述した課題を解決するために請求項２に記載したように、医用情報を生成する医用情報生成装置と、この医用情報生成装置で生成した医用情報を管理する医用情報管理装置とを備え、前記医用情報生成装置及び前記医用情報管理装置を、ネットワーク網を介して相互接続するシステムにおいて、前記医用情報管理装置に、各種別同士が関連付けられる共通の識別子項目をもつように、種別毎の識別子項目情報を識別子項目情報ＤＢとして記憶する記憶装置と、前記医用情報生成装置から所要種別に関する識別子項目の提供を受け付ける識別子項目提供部と、前記識別子項目提供部で受け付けた前記所要種別を基に前記識別子項目情報ＤＢを検索し、前記所要種別に対応する所要の識別子項目を取得する識別子項目取得部とを有し、前記医用情報生成装置に、前記所要の識別子項目を要求する識別子項目要求部と、前記識別子項目取得部で取得した前記所要の識別子項目に応じて識別子情報を生成する識別子情報生成部と、医用情報が発生する種別の場合、前記医用情報を前記識別子情報と対応付けた識別子情報／医用情報を生成する識別子情報／医用情報生成部と、前記識別子情報又は前記識別子情報／医用情報を前記ネットワーク網に送信する送信部とを有し、前記医用情報管理装置に、前記ネットワーク網から前記識別子情報又は前記識別子情報／医用情報を受信する受信部と、前記受信部で受信した前記識別子情報又は前記識別子情報／医用情報を通過管理情報ＤＢとして記録したり、予め記憶された前記通過管理情報ＤＢに含まれる識別子情報に前記識別子情報又は前記識別子情報／医用情報に含まれる識別子情報を関連付けて前記通過管理情報ＤＢに追加記録したりする通過管理情報記録部とを有する。
【００１０】
本発明に係る医用情報管理方法は、上述した課題を解決するために請求項７に記載したように、各種別同士が関連付けられる共通の識別子項目をもつように、種別毎の識別子項目情報が識別子項目情報ＤＢとして記憶される識別子項目情報記憶工程と、所要種別を基に前記識別子項目情報ＤＢを検索し、前記所要種別に対応する所要の識別子項目が取得される識別子項目取得工程と、前記識別子項目取得工程で取得した前記識別子項目に応じて識別子情報が生成される識別子情報生成工程と、医用情報が発生する種別の場合、前記医用情報を前記識別子情報と対応付けた識別子情報／医用情報が生成される識別子情報／医用情報生成工程と、前記識別子情報又は前記識別子情報／医用情報が通過管理情報ＤＢとして記録されたり、予め記憶された前記通過管理情報ＤＢに含まれる識別子情報に前記識別子情報又は前記識別子情報／医用情報に含まれる識別子情報が関連付けられて前記通過管理情報ＤＢに追加記録されたりする通過管理情報記録工程とを有する。
【発明の効果】
【００１１】
本発明に係る医用情報管理システム及び医用情報管理方法によると、ローカルの識別子情報を使った医用情報の管理システムを構成することができ、任意の時間や場所で医用情報を照会要求するユーザの視点で医用情報を照会することができる。
【発明を実施するための最良の形態】
【００１２】
本発明に係る医用情報管理システム及び医用情報管理方法の実施の形態について、添付図面を参照して説明する。
【００１３】
図１は、本発明に係る医用情報管理システムの全体構成を示す概要図である。
【００１４】
図１は、医用情報管理システム１０を示し、この医用情報管理システム１０は、医用情報を生成する医用情報生成装置１１（１１ａ，１１ｂ，１１ｃ，…）と、この医用情報生成装置１１で生成した医用情報を管理する医用情報管理装置（データセンタ）１２と、この医用情報管理装置１２に医用情報を照会する医用情報照会装置１３（１３ａ，…）とが備えられ、医用情報生成装置１１、医用情報管理装置１２及び医用情報照会装置１３はネットワークＮを介して相互接続される。ネットワークＮは、公衆回線（ＩＳＤＮ（Integrated Services Digital Network）を含む）や専用回線のような回線接続であっても、また、インターネットのような開かれたネットワークであってもよい。
【００１５】
また、医用情報生成装置１１は、種別毎に予め設定された識別子項目に識別子情報を付加したり、その識別子情報を分析結果等の医用情報に対応付けたりする。医用情報管理装置１２は、医用情報生成装置１１で付加した識別子情報を基に医用情報を管理する。なお、図１に示した医用情報生成装置１１は３つの医用情報生成装置１１ａ，１１ｂ，１１ｃから構成されるように図示したが、３つに限定されるものではない。また、医用情報照会装置１３は１つの医用情報照会装置１３ａから構成されるように図示したが、１つに限定されるものではない。
【００１６】
医用情報生成装置１１及び医用情報照会装置１３は、病院、検診センタ及び検体分析センタ等の医療機関の単位で設置されるものとする。なお、医用情報生成装置１１及び医用情報照会装置１３は単一の医療機関の単位で設置されるものとするが、その場合に限定されるものではなく、システム提携された複数の医療機関の単位で設置される場合もある。さらに、医用情報生成装置１１は、医療機関以外の機関、例えば検体検査の際に検体を収容するビンを製造するビン製造工場等に設置される場合もある。また、医用情報照会装置１３は、患者が住居等に所有するＰＣ（Personal Computer）であってもよい。
【００１７】
医用情報生成装置１１、医用情報管理装置１２及び医用情報照会装置１３はコンピュータをベースとして構成されている。
【００１８】
図２は、医用情報生成装置１１の構成を示すブロック図である。
【００１９】
図２に示した医用情報生成装置１１は、ＣＰＵ（Central Processing Unit）２１、メモリ２２、ＨＤ（Hard Disk）２４及び通信制御装置２５等の基本的なハードウェアから構成され、ＣＰＵ２１は、共通信号伝送路としてのバスＢ１を介して、コンピュータを構成する各ハードウェア構成要素に相互接続されている。また、医用情報生成装置１１には、キーボード２６ａ、ＩＣタグリーダ２６ｂ及びバーコードリーダ等の周辺機器としての入力装置２６が相互接続される。なお、コンピュータは、モニタ等の表示装置２７やドライブ２８を具備する場合もある。
【００２０】
ＣＰＵ２１はメモリ２２に記憶しているプログラムを実行する。また、ＣＰＵ２１は、ＨＤ２４に記憶しているプログラム、ネットワークＮから転送され通信制御装置２５で受信されてＨＤ２４にインストールされたプログラム、又はドライブ２８に装着されたフレキシブルディスク、ＣＤ−ＲＯＭ（Compact Disc Read Only Memory）、ＭＯ（Magneto OptＩＣal）ディスク、ＤＶＤ（Digital Versatile Disc）、磁気ディスク及び半導体メモリ等の可搬型の記録媒体２９から読み出されてＨＤ２４にインストールされたプログラムをメモリ２２にロードして実行する。プログラムの実行によってコンピュータは医用情報生成装置１１として機能する。
【００２１】
メモリ２２は、例えば、ＲＯＭ（Read Only Memory）やＲＡＭ（Random Access Memory）として機能し、ＣＰＵ２１のワークメモリやデータの一時的あるいは永続的な記憶に用いられる記憶装置である。
【００２２】
ＨＤ２４は、コンピュータにインストールされたプログラム（アプリケーションプログラムの他にＯＳ（Operating System）等を含む）や、ＣＰＵ２１が処理を行なう上で必要なデータを記憶する記憶装置である。
【００２３】
通信制御装置２５は、例えば、ＩＥＥＥ（Institute of Electrical and Electronics Engineers）１３９４ポートや、ＵＳＢ（Universal Serial Bus）ポート、ＬＡＮ（Local Area Network）接続用のＮＩＣ（Network Interface Card）等で構成された通信Ｉ／Ｆ（Inter Face）であり、各規格に応じた通信制御を行なう。また、通信制御装置２５は、アナログモデムや、ＴＡ（Terminal Adapter）及びＤＳＵ（Digital Service Unit）、ＡＤＳＬ（Asymmetric Digital Subscriber Line）モデム等の電話回線を通じてネットワークＮに接続することができる機能を有しており、これにより、コンピュータは、通信制御装置２５からネットワークＮに接続することができる。
【００２４】
ドライブ２８は、記録媒体２９の着脱が可能となっており、記録媒体２９と一体となって記憶装置として機能する。ドライブ２８は、記録媒体２９に記録されたデータ（プログラムを含む）を読み出して、バスＢ１上に出力する一方、バスＢ１を介して供給されるデータを記録媒体２９に書き込む。ここで、ＣＰＵ２１が実行するプログラムは、記録媒体２９に、一時的あるいは永続的に格納（記録）しておくことができる。このような記録媒体２９は、いわゆるパッケージソフトウエアとして提供することができる。
【００２５】
図３は、医用情報管理装置１２の構成を示すブロック図である。
【００２６】
図３に示した医用情報管理装置１２は、ＣＰＵ３１、メモリ３２、ＨＤ３４及び通信制御装置３５等の基本的なハードウェアから構成され、ＣＰＵ３１は、共通信号伝送路としてのバスＢ２を介して、コンピュータを構成する各ハードウェア構成要素に相互接続されている。なお、コンピュータはドライブ３８を具備する場合もある。
【００２７】
ＣＰＵ３１はメモリ３２に記憶しているプログラムを実行する。また、ＣＰＵ３１は、ＨＤ３４に記憶しているプログラム、ネットワークＮから転送され通信制御装置３５で受信されてＨＤ３４にインストールされたプログラム、又はドライブ３８に装着された記録媒体３９から読み出されてＨＤ３４にインストールされたプログラムをメモリ３２にロードして実行する。プログラムの実行によってコンピュータは医用情報管理装置１２として機能する。
【００２８】
メモリ３２は、例えば、ＲＯＭやＲＡＭとして機能し、ＣＰＵ３１のワークメモリやデータの一時的あるいは永続的な記憶に用いられる記憶装置である。
【００２９】
ＨＤ３４は、コンピュータにインストールされたプログラム（アプリケーションプログラムの他にＯＳ等を含む）や、ＣＰＵ３１が処理を行なう上で必要なデータを記憶する記憶装置である。
【００３０】
通信制御装置３５は通信Ｉ／Ｆであり、各規格に応じた通信制御を行なう。また、通信制御装置３５は、電話回線を通じてネットワークＮに接続することができる機能を有しており、これにより、コンピュータは、通信制御装置３５からネットワークＮに接続することができる。
【００３１】
ドライブ３８は、記録媒体３９の着脱が可能となっており、記録媒体３９と一体となって記憶装置として機能する。ドライブ３８は、記録媒体３９に記録されたデータ（プログラムを含む）を読み出して、バスＢ２上に出力する一方、バスＢ２を介して供給されるデータを記録媒体３９に書き込む。ここで、ＣＰＵ３１が実行するプログラムは、記録媒体３９に、一時的あるいは永続的に格納しておくことができる。このような記録媒体３９は、いわゆるパッケージソフトウエアとして提供することができる。
【００３２】
ここで、ＨＤ３４等の記憶装置には、種別毎に予め設定された単数又は複数の識別子項目を記憶しており、各種別同士は、共通の識別子項目を介して関連付けられる。例えば、第１の種別に識別子項目（Ａ）を設定している場合、第２の種別に識別子項目（Ａ）及び識別子項目（Ｂ）を設定させ、また、第３の種別に識別子項目（Ｂ）、識別子項目（Ｃ）及び識別子項目（Ｄ）を設定させる。このように、第１の種別と第２の種別とが識別子項目（Ａ）を介して関連付けられ、第２の種別と第３の種別とが識別子項目（Ｂ）を介して関連付けられることになる。
【００３３】
また、図１に示した医用情報照会装置１３のハードウェア構成も図２に示した医用情報生成装置１１の構成に準ずるものとする。
【００３４】
図４は、本発明に係る医用情報管理システム１０の第１実施の形態を示すブロック図である。
【００３５】
図４は、医用情報管理システム１０を示し、この医用情報管理システム１０は、医用情報生成装置１１ａ、医用情報管理装置１２及び医用情報提供要求装置１３がネットワークＮ（図１に示す）を介して相互接続される。本実施の形態では、医用情報生成装置１１ａを第１病院Ｈ１に、医用情報提供要求装置１３を第２病院Ｈ２に配置するものとする。
【００３６】
医用情報生成装置１１ａは、コンピュータのＣＰＵ２１（図２に示す）がプログラムを実行することによって、識別子項目要求部４１（４１ａ）、識別子情報生成部４２（４２ａ）、識別子情報／医用情報生成部４３（４３ａ）及び送信部４４（４４ａ）として機能する。
【００３７】
識別子項目要求部４１ａは、医用情報管理装置１２から、入力装置２６（図２に示す）の入力信号に従って所要種別に対応する識別子項目を要求する機能を有する。
【００３８】
識別子情報生成部４２ａは、識別子項目要求部４１ａの要求に従って取得した識別子項目毎に識別子情報を生成すると共に、その識別子情報に関する付帯情報を付帯させる機能を有する。
【００３９】
第１病院Ｈ１で分析結果等の医用情報が発生する種別の場合、医用情報に、識別子情報生成部４２ａで生成した識別子情報と対応付けた識別子情報／医用情報を生成する機能を有する。
【００４０】
送信部４４ａは、識別子情報生成部４２ａで生成した識別子情報、又は、識別子情報／医用情報生成部４３ａで生成した識別子情報／医用情報を、通信制御装置２５（図２に示す）を介して医用情報管理装置１２に送信する機能を有する。
【００４１】
医用情報管理装置１２は、コンピュータのＣＰＵ３１（図３に示す）がプログラムを実行することによって、識別子項目取得部５１、識別子項目提供部５２、受信部５３、通過管理情報生成・記録部５４、医用情報照会要求受付部５５、医用情報取得部５６及び医用情報提供部５７として機能する。
【００４２】
ＨＤ３４（図３に示す）等の記憶装置は、種別毎の識別子項目を識別子項目情報ＤＢとして記憶しており、識別子項目取得部５１は、医用情報生成装置１１ａから要求された所要種別を基に、記憶装置に記憶した識別子項目情報ＤＢを検索し、所要種別に対応する識別子項目を取得する機能を有する。
【００４３】
識別子項目提供部５２は、医用情報生成装置１１ａの識別子項目要求部４１ａからの識別子項目の要求に従って識別子項目取得部５１に、所要種別に対応する識別子項目を検索させると共に、識別子項目取得部５１が取得した識別子項目を通信制御装置３５（図３に示す）を介して識別子項目要求部４１に提供する機能を有する。
【００４４】
受信部５３は、医用情報生成装置１１ａの送信部４４ａから送信された識別子情報又は識別子情報／医用情報を、通信制御装置３５を介して受信する機能を有する。
【００４５】
通過管理情報生成・記録部５４は、受信部５３で受信した識別子情報又は識別子情報／医用情報を通過管理情報ＤＢとして記憶装置に記録したり、受信部５３で受信した識別子情報又は識別子情報／医用情報に含まれる識別子情報を、記憶装置に記憶した通過管理情報ＤＢに含まれる識別子情報に関連付けて、通過管理情報ＤＢに追加記録したりする機能を有する。
【００４６】
医用情報照会要求受付部５５は、医用情報照会装置１３から通信制御装置３５を介して所要の識別子情報に関する医用情報の照会要求を受け付ける機能を有する。
【００４７】
医用情報取得部５６は、医用情報照会要求受付部５５で受け付けた所要の識別子情報を基に、記憶装置に記憶された通過管理情報ＤＢを検索し、所要の識別子情報に関する医用情報を取得する機能を有する。
【００４８】
医用情報提供部５７は医用情報取得部５６で取得した医用情報を、通信制御部３５を介して医用情報照会装置１３に提供する機能を有する。また、記憶装置にユーザ管理情報ＤＢが格納されている場合、そのユーザ管理情報ＤＢに従って医用情報を加工して提供する。
【００４９】
医用情報照会装置１３は、コンピュータのＣＰＵ（図示しない）がプログラムを実行することによって、医用情報管理装置１２に、所要の識別子情報に関する医用情報を照会要求する医用情報照会要求部６１として機能する。
【００５０】
なお、医用情報生成装置１１ａには便宜上、医用情報照会要求部６１を配置せず、また、医用情報照会装置１３には便宜上、識別子項目要求部４１、識別子情報生成部４２、識別子情報／医用情報生成部４３及び送信部４４を配置しない構成とした。しかし、第１病院Ｈ１に医用情報生成装置１１ａを、第２病院Ｈ２に医用情報照会装置１３を配置する場合、双方の装置に識別子項目要求部４１、識別子情報生成部４２、識別子情報／医用情報生成部４３、送信部４４及び医用情報照会要求部６１の機能を併せもつ構成としてもよい。一方、医用情報照会装置１３が患者個人のＰＣである場合、そのＰＣには医用情報照会要求部６１のみを有するものとする。
【００５１】
続いて、本実施の形態に係る医用情報管理方法について、主に図４を参照しながら図５に示したフローチャートを用いて説明する。ここでは、種別を放射線検査で行なわれる各工程（進捗状況）とする場合を説明する。また、放射線検査は、大きくは、図６に示すようにオーダ生成工程、検体分析工程及びレポート作成工程の３工程に分けられるが、そのうち、依頼科で実施されるオーダ生成工程の場合を説明する。
【００５２】
まず、医用情報管理システム１０の医用情報管理装置１２を構成するＨＤ３４（図３に示す）等の記憶装置に、各種別同士が関連付けられる共通の識別子項目が設定され、識別子項目ＤＢとして記憶される（ステップＳ１）。具体的には、記憶装置に、放射線検査で行なわれる各工程同士が関連付けられる共通の識別子項目が設定され、識別子項目ＤＢとして記憶される。なお、同様に、医用情報生成装置１１ａを構成するＨＤ２４（図２に示す）等の記憶装置に、各種別同士が関連付けられる共通の識別子項目が設定され、識別子項目ＤＢとして記憶されてもよい。
【００５３】
図７は、識別子項目ＤＢの一例をテーブルとして示す図である。
【００５４】
放射線検査は、大きくは、オーダ生成工程、検査実施工程及びレポート作成工程の３工程に分けられる。放射線検査内のオーダ生成工程に対応する識別子項目を、全ての医療機関（広域）で有効となる固有の広域患者識別子、医療機関識別子（第１病院Ｈ１の固有の識別子）及びオーダ識別子と設定する。また、放射線検査内の検査実施工程に対応する識別子項目を、オーダ識別子及び検査識別子と設定する。さらに、放射線検査内のレポート作成工程に対応する識別子項目を、検査識別子及びレポート識別子と設定する。よって、図７に示したテーブルでは、オーダ生成工程と検査実施工程との共通の識別子項目をオーダ識別子とし、検査実施工程とレポート作成工程との共通の識別子項目は検査識別子としている。
【００５５】
ここで、広域患者識別子として、例えば、ＩＣ（Integrated Circuit）カードに記録された住民票コード、健康保険証番号、住民票コード、納税者番号及び基礎年金番号のように、国民固有の識別子を用いることができる。
【００５６】
図４に示した医用情報生成装置１１ａの識別子項目要求部４１ａでは、入力装置２６（図２に示す）からの入力信号に従って、第１病院Ｈ１で実際に行なっている所要種別が判断され、所要種別をキーとして、その所要種別に対応する識別子項目が要求される。
【００５７】
医用情報管理装置１２の識別子項目提供部５２では、識別子項目要求部４１ａからの識別子項目の要求に従って識別子項目取得部５１に、要求に従った識別子項目を検索させる。識別子項目取得部５１では、所要種別を基に、ステップＳ１で記憶装置に記憶した識別子項目情報ＤＢが検索され、所要種別に対応する識別子項目が取得される（ステップＳ２）。具体的には、図７に示したテーブルから、放射線検査内のオーダ生成工程に対応する識別子項目として広域患者識別子、医療機関識別子及びオーダ識別子が取得される。放射線検査内のオーダ生成工程に対応する識別子項目としての広域患者識別子、医療機関識別子及びオーダ識別子は、識別子項目提供部５２から医用情報生成装置１１ａの識別子項目要求部４１ａに提供される。
【００５８】
次いで、識別子情報生成部４２ａでは、入力装置２６であるキーボード２６ａからの入力信号を基に、ステップＳ１で取得した識別子項目に識別子情報が入力され、識別子情報が生成される（ステップＳ３）。また、識別子情報に対して付帯情報、例えば識別子情報区分、流通範囲及び流通場所が付帯されてもよい。
【００５９】
図８は、識別子情報及びその付帯情報の一例をテーブルとして示す図である。
【００６０】
図８は、放射線検査内のオーダ生成工程の場合における識別子情報を示し、識別子項目の広域患者識別子として識別子情報「１２３４５６」が付され、また、付帯情報として、識別子情報区分「広域患者ＩＤ（IDentification）」、流通範囲「全国」及び流通場所「全国」が付帯される。また、識別子項目の医療機関識別子として識別子情報「ＨＰ１２−１２」が付され、また、付帯情報として、識別子情報区分「医療機関ＩＤ（第１病院Ｈ１の固有のＩＤ）」、流通範囲「全国」及び流通場所「全国」が付帯される。さらに、識別子項目のオーダ識別子として識別子情報として「ＯＲＤ０１２３」が付され、また、付帯情報として、識別子情報区分「オーダ番号」、流通範囲「第１病院Ｈ１内」及び流通場所「第１病院Ｈ１」が付帯される。
【００６１】
図４に示した識別子情報／医用情報生成部４３ａでは、分析結果等の医用情報が発生する場合、識別子情報生成部４２ａで付加した識別子情報が医用情報と対応付けられた識別子情報／医用情報が生成される（ステップＳ４）。
【００６２】
ステップＳ３にて識別子情報生成部４２ａで生成された識別子情報、又は、ステップＳ４にて識別子情報／医用情報生成部４３ａで生成された識別子情報／医用情報は、送信部４４から医用情報管理装置１２に送信される。
【００６３】
医用情報管理装置１２の受信部５３では、送信部４４から識別子情報又は識別子情報／医用情報が受信される。次いで、通過管理情報生成・記録部５４では、受信部５３で受信した識別子情報又は識別子情報／医用情報の識別子情報が、記憶装置に記憶した通過管理情報ＤＢに含まれる識別子情報に関連付けられるか否かが判断される（ステップＳ５）。ステップＳ５の判断にてＹｅｓ、すなわち、受信部５３で受信した識別子情報又は識別子情報／医用情報の識別子情報が、通過管理情報ＤＢに含まれる識別子情報に関連付けられる場合、識別子情報の関連付けが行なわれ（ステップＳ６）、通過管理情報ＤＢに追加記録される（ステップＳ７）。
【００６４】
一方、ステップＳ５の判断にてＮｏ、すなわち、受信部５３で受信した識別子情報又は識別子情報／医用情報の識別子情報が、通過管理情報ＤＢに含まれる識別子情報に関連付けられない場合、受信部５３で受信した識別子情報又は識別子情報／医用情報が通過管理情報ＤＢとして記憶装置に記録される（ステップＳ８）。
【００６５】
図９は、通過管理情報ＤＢの一例をテーブルとして示す図である。
【００６６】
図９は、受信部５３で受信した識別子情報／医用情報に含まれる識別子情報と、通過管理情報ＤＢに含まれる識別子情報とを関連付けてテーブルとして示した図である。
【００６７】
例えば、図７に示したように放射線検査の検査実施工程には識別子項目としてのオーダ識別子及び検査識別子が設定されているので、検査実施工程のオーダ識別子に相当するオーダ番号は、図９に示したオーダ生成工程のオーダ識別子に相当するオーダ番号「ＯＲＤ０１２３」と関連付けられる。
【００６８】
次いで、図４に示した医用情報照会装置１３の表示装置（図示しない）上に表示されるログイン画面を用いて、ユーザ（医者、技師、看護士又は患者等）によって医用情報照会装置１３がログインされる。ログイン画面上でログインが行なわれると、ログインユーザの属性情報が、医用情報照会要求部６１から医用情報照会要求受付部５５に送信される。医用情報照会要求受付部５５は、ログインユーザの属性情報に合った医用情報照会画面を医用情報照会装置１３に呈示する。
【００６９】
医用情報照会装置１３の医用情報照会要求部６１では、ユーザによって、医用情報管理装置１２に所要の識別子情報に関する医用情報の照会が要求される（ステップＳ９）。具体的には、医用情報照会装置１３に対して、広域患者識別子の識別子情報である広域患者識別子情報（広域患者ＩＤ）として「１２３４５６」をユーザが指定する。ユーザが医用情報照会装置１３の入力装置（図示しない）を用いて広域患者識別子情報を指定入力することで、医用情報照会装置１３の医用情報照会要求部６１では、医用情報管理装置１２に、広域患者識別子情報に関する医用情報の照会が要求される。
【００７０】
なお、医用情報管理システム１０が、同一病院（システム）内に医用情報生成装置１１ａと医用情報照会装置１３とを配置する構成の場合、医用情報照会装置１３を操作するユーザは、広域患者識別子情報の他、医療機関識別子の識別子情報である医療機関識別子情報（医療機関ＩＤ）やオーダ識別子の識別子情報であるオーダ識別子情報（オーダ番号）を指定してもよい。また、医用情報管理システム１０が、患者所有のＰＣを医用情報照会装置１３とする構成の場合、医用情報照会装置１３を操作する患者は、広域患者識別子情報の他、医療機関識別子情報やオーダ識別子情報を指定してもよい。よって、医用情報照会装置１３を操作するユーザは、必ずしも広域患者識別子情報を指定するものではない。
【００７１】
図１０は、ログイン画面の一例を示す図である。
【００７２】
ログイン画面上では、ユーザＩＤとパスワードを入力する形式のログイン画面を示した。さらにセキュリティを高めるためには、ＩＣカードの利用や、指紋等の生体情報を使ったログイン形式にしてもよい。
【００７３】
ここで、図４に示した医用情報照会要求部６１でログインが成功した場合、医用情報の検索条件・表示条件を指定できるようにしてもよい。その場合、医用情報照会装置１３の表示装置上に検索条件・表示条件の指定画面を表示する。
【００７４】
図１１は、検索条件の指定画面の一例を示す図である。
【００７５】
図１１には、検索条件として、検査実施期間、検査依頼科、検査依頼医師及び検査センタを例示した。これらの検索条件以外には、工程等がある。ユーザが入力装置を用いて検査実施期間、検査依頼科、検査依頼医師及び検査センタのテキストボックスのうち少なくとも１つに所望の検索条件を入力して「指定」ボタンをクリックすると、検索条件が指定される。また、「表示条件変更」ボタンをクリックすると、表示条件の指定画面に切り替わる形態となっている。
【００７６】
図１２は、表示条件の指定画面の一例を示す図である。
【００７７】
表示条件として、表示データ、参照形式、ファイル書式及び画像形式を指定できる場合を示す。表示データとして、検査結果又は検査過程をプルダウンメニューによって選択できるようになっている。表示データとして参照形式として、一覧ツリー又は個別検査を選択できるようになっている。ファイル書式として、ＨＴＭＬ（Hyper Text Markup Language）、ＲＴＦ（Rich Text Format）又はＰＤＦ（Portable Document Format）を選択できるようになっている。画像形式として、ＪＰＥＧ（Joint Photographic Experts Group）、ＤＩＣＯＭ（Digital Imaging and Communication in Medicine）又はＴＩＦＦ（Tagged Image File Format）を選択できるようになっている。なお、表示条件はこれらに限定されるわけではない。
【００７８】
ユーザが入力装置を用いて表示データ、参照形式、ファイル書式及び画像形式のプルダウンメニューのうち少なくとも１つメニューから所望の検索条件を選択して「指定」ボタンをクリックすると、表示条件が指定される。また、「検索条件変更」ボタンをクリックすると、検索条件の指定画面に切り替わる形態となっている。
【００７９】
図４に示した医用情報照会要求部６１からの所要の識別子情報に関する医用情報の照会要求は、医用情報管理装置１２の医用情報照会要求受付部５５で受け付けられる。
【００８０】
医用情報取得部５６では、医用情報照会要求受付部５５で受け付けた所要の識別子情報を基に記憶装置に記憶された通過管理情報ＤＢが検索され、所要の識別子情報に関する医用情報が取得される（ステップＳ１０）。例えば、医用情報照会装置１３の医用情報照会要求部６１で広域患者識別子情報として「１２３４５６」を指定して、広域患者識別子情報に関する医用情報の照会が要求された場合には、医用情報取得部５６では、記憶装置に記憶された通過管理情報ＤＢから広域患者識別子情報「１２３４５６」を含む医用情報が取得されることになる。
【００８１】
医用情報提供部５７では、ステップＳ１０で取得した医用情報を一覧表とし、その一覧表が医用情報提供部５７からネットワークＮを介して医用情報照会装置１３の医用情報照会要求部６１に提供される（ステップＳ１１）。一覧表のデータ書式は、ユーザの利便性を考慮して、原則としてＨＴＭＬ形式とすることが好適であるが、ＨＴＭＬ形式に限定されるわけではなく、その他にＸＭＬ（eXtensible Markup Language）形式及びＣＳＶ（Comma Separated Values）形式等であってもよい。また、図１２の指定画面にてユーザによって表示条件の指定が行なわれた場合には、その指定に従った一覧表が医用情報照会要求部６１に提供される。
【００８２】
なお、検査結果等の医用情報として、医用情報の生データを医用情報管理装置１２で管理してもよいし、医用情報の参照先データを管理するようにしてもよい。
【００８３】
ここで、予め、医用情報管理装置１２の記憶装置にユーザ管理情報をユーザ管理情報ＤＢとして格納させてもよい。ユーザ管理情報ＤＢでは、ユーザ種別情報毎又はユーザ識別子情報（医用情報照会装置１３をログインしたユーザＩＤ情報）毎に表示データの形式（表示形式）を管理する。ただし、ユーザ識別子情報に該当する表示形式が管理されていない場合には、ユーザ種別情報毎に管理されている表示形式が用いられる一方、ユーザ識別子情報に該当する表示形式が管理されている場合には、ユーザ種別情報毎に管理されている表示形式よりも優先される。
【００８４】
また、図１３は、ユーザ種別情報毎の表示形式の一例を、図１４は、ユーザ識別子情報毎の表示形式の一例をそれぞれ示している。
【００８５】
表示データとして、検査結果及び検査過程を用いている。参照形式として、一覧ツリー及び個別検査を用いている。ファイル書式として、ＨＴＭＬ、ＲＴＦ及びＰＤＦを用いている。画像形式として、ＪＰＥＧ、ＤＩＣＯＭ及びＴＩＦＦを用いている。ただし、図１０及び図１１で示したもの以外にも、例えば、表示データの並び順、異常値の表示方法、異常値の判断基準及び表示配色等を管理してもよい。ここで、図１２の指定画面で表示条件が指定された場合には、その指定が、ユーザ管理情報ＤＢによる表示形式の設定よりも優先されるものとする。
【００８６】
なお、図４に示したブロック図では、医用情報生成装置１１ａから医用情報管理装置１２に所要の識別子項目を要求する場合を想定しているが、その場合に限定されるものではなく、医用情報生成装置１１ａのＨＤ２４（図２に図示）等の記憶装置に予め識別子項目ＤＢを記憶させ、医用情報生成装置１１ａに識別子項目取得部５１を有するように構成してもよい。
【００８７】
さらに、ネットワークＮ上のデータの暗号化については触れていないが、ネットワークＮ上のデータは暗号化されることが好ましい。暗号化は、汎用的な暗号技術、例えばＳＳＬ（Secure Socket Layer）による暗号化を行なえばよい。
【００８８】
本発明に係る医用情報管理システム１０の第１実施の形態及び医用情報管理方法によると、広域でユニークとなる広域患者識別子情報を軸として、ローカルにそれぞれ発番される識別子情報との関連を時間的空間的な移動時に通過管理情報ＤＢとして適宜記録する。よって、ローカルの識別子情報を使った医用情報の管理システムを構成することができ、任意の時間や場所で医用情報を照会要求するユーザの視点で医用情報を照会することができる。
【００８９】
図１５は、本発明に係る医用情報管理システムの第２実施の形態を示すブロック図である。なお、図１５に示した医用情報管理システム１０Ａにおいて、図４に示した医用情報管理システム１０と同一構成要素には同一符号を付して説明を省略する。また、医用情報管理システム１０Ａの識別子項目要求部４１ｂ，４１ｃは識別子項目要求部４１ａと、識別子情報生成部４２ｂ，４２ｃは識別子情報生成部４２ａと、識別子情報／医用情報生成部４３ｂ，４３ｃは識別子情報／医用情報生成部４３ａと、送信部４４ｂ，４４ｃは送信部４４ａとそれぞれ同一の機能を有するものとする。
【００９０】
第１実施の形態では、複数の種別が１つの医療機関で完結する場合の例として、複数の工程が１つの医療機関で完結する放射線検査の場合について説明した。しかし、複数の種別は、１つの医療機関内で完結する場合に限定されず、例えば検体検査のように、工程の一部を他の機関が行なう場合がある。本実施の形態では、医用情報生成装置１１ａをビンの製造工場Ｐに、医用情報生成装置１１ｂを第１病院Ｈ１に、医用情報生成装置１１ｃを検体分析センタＡに、医用情報提供要求装置１３を第２病院Ｈ２に配置するものとし、複数の種別を多種の機関にて行なう検査の場合を説明する。
【００９１】
複数の種別を多種の医療機関にて行なう検体検査では、尿及び血液等の検体（標本）を患者から取得し、それを分析装置で分析する。検体検査は、大きくは、図１６に示すように、ビン製造工程、ビン納品工程、検体収容工程、検体分析工程及び検体廃棄工程の５工程に分けられる。
【００９２】
ビン製造工程は一般的には検体を収容するビンを製造する製造業者等で行なわれるもので、ビンの識別子情報を発行（製造番号を発番）し、その識別子情報をビンに記録する工程である。ビンへの識別子情報の記録は、識別子情報をバーコード化したラベルを貼付することで行なわれてもよいし、識別子情報を記録したＩＣタグをＩＣタグシールとして貼付することで行なわれてもよい。
【００９３】
ビン納品工程は一般的には病院又は健診センタ等の医療機関（第１病院Ｈ１）で行なわれるもので、ビン製造工程で識別子情報が記録されたビンを納品する工程である。
【００９４】
検体収容工程は一般的にはビン納品工程と同様に第１病院Ｈ１で行なわれるもので、被検体である患者から検体の採取を行ない、ビン納品工程で納品したビンに検体を収容する工程である。
【００９５】
検体分析工程は一般的には検体分析センタＡで行なわれるもので、検体収容工程でビンに収容した検体を、その医療機関内の検査部門又は施設外の検査分析受託機関に送付してそこで分析を実施する工程である。ここで、同一検体に対して複数回の分析が行われる場合もある。
【００９６】
検体廃棄工程は一般的には検体分析工程を行なった検体分析センタＡで行なわれるもので、検体分析工程後、ビンに残存する検体を破棄する工程である。検体廃棄工程にて検体検査は終了する。
【００９７】
続いて、本実施の形態に係る医用情報管理方法について、主に図１５を参照しながら図５に示したフローチャートを用いて説明する。
【００９８】
まず、医用情報管理システム１０Ａの医用情報管理装置１２を構成するＨＤ３４（図３に示す）等の記憶装置に、各種別同士が関連付けられる共通の識別子項目が設定され、識別子項目ＤＢとして記憶される（ステップＳ１）。
【００９９】
図１７は、識別子項目ＤＢの一例をテーブルとして示す図である。
【０１００】
検体検査は、大きくは、ビン製造工程、ビン納品工程、検体収容工程、検体分析工程及び検体廃棄工程の５工程に分けられる。検体検査内のビン製造工程に対応する識別子項目を、ビンの識別子と設定する。また、検体検査内のビン納品工程に対応する識別子項目を、ビンの識別子、医療機関識別子（第１病院Ｈ１の固有の識別子）及びオーダ識別子と設定する。さらに、検体検査内の検体収容工程に対応する識別子項目を、ビンの識別子、広域患者識別子及びオーダ識別子と設定する。また、検体検査内の検体分析工程に対応する識別子項目を、ビンの識別子、医療機関識別子（検体分析センタＡの固有の識別子）及び検体検査結果識別子と設定する。さらに、検体検査内の検体廃棄工程に対応する識別子項目を、ビンの識別子と設定する。
【０１０１】
１．検体検査のビン製造工程におけるステップＳ２及びＳ３
図１５に示したビンの製造工場Ｐにて検体を収容するビンが製造され、製造時点で識別子情報が発行（製造番号が発番）される。発行された識別子情報は、製造業者又は委託業者によってビンに記録される。ビンへの識別子情報の記録は、識別子情報をバーコード化したラベルをビンに貼付することによって行なってもよいし、識別子情報を記録したＩＣタグを具備したＩＣタグシールを貼付することによって行なってもよい。以下の説明では、特に断らない限り、識別子情報が記録されたＩＣタグシールをビンに貼付する場合を例にとって説明する。なお、識別子情報は、ビンの製造業者の識別子情報と、各製造事業者内で識別可能な製造番号との組み合わせとしてもよい。
【０１０２】
医用情報生成装置１１ａの識別子項目要求部４１ａでは、入力装置２６としてのキーボード２６ａ（図２に示す）からの入力信号に従って、製造工場Ｐで実際に行なっている種別が判断され、その種別をキーとして、医用情報管理装置１２に識別子項目が要求される。
【０１０３】
医用情報管理装置１２の識別子項目提供部５２では、識別子項目要求部４１ａからの識別子項目の要求に従って識別子項目取得部５１に、要求に従った識別子項目を検索させる。ステップＳ２において識別子項目取得部５１では、検体検査内のビン製造工程を基に記憶装置に記憶した識別子項目ＤＢが検索され、検体検査内のビン製造工程に対応する識別子項目が取得される。具体的には、図１７に示したテーブルから、検体検査内のビン製造工程に対応する識別子項目としてビンの識別子が取得される。検体検査内のビン製造工程に対応する識別子項目としてのビンの識別子は、識別子項目提供部５２から医用情報生成装置１１ａの識別子項目要求部４１ａに提供される。
【０１０４】
ステップＳ３において識別子情報生成部４２ａでは、入力装置２６であるＩＣタグリーダ２６ｂからの入力信号を基に、ステップＳ２で取得したビンの識別子が入力され、ビンの識別子情報が生成される。
【０１０５】
２．検体検査のビン納品工程におけるステップＳ２及びＳ３
第１病院Ｈ１に、製造工場Ｐで製造されＩＣタグシールが貼付されたビンが納品される。医用情報生成装置１１ｂの識別子項目要求部４１ｂでは、入力装置２６としてのキーボード２６ａ（図２に示す）からの入力信号に従って、第１病院Ｈ１で実際に行なっている種別が判断され、その種別をキーとして、医用情報管理装置１２に識別子項目が要求される。
【０１０６】
医用情報管理装置１２の識別子項目提供部５２では、識別子項目要求部４１ｂからの識別子項目の要求に従って識別子項目取得部５１に、要求に従った識別子項目を検索させる。ステップＳ２において識別子項目取得部５１では、検体検査内のビン納品工程を基に記憶装置に記憶した識別子項目ＤＢが検索され、検体検査内のビン納品工程に対応する識別子項目が取得される。具体的には、図１７に示したテーブルから、検体検査内のビン納品工程に対応する識別子項目としてビンの識別子、医療機関識別子及びオーダ識別子が取得される。検体検査内のビン納品工程に対応する識別子項目としてのビンの識別子、医療機関識別子及びオーダ識別子は、識別子項目提供部５２から医用情報生成装置１１ｂの識別子項目要求部４１ｂに提供される。
【０１０７】
ステップＳ３において識別子情報生成部４２ｂでは、入力装置２６であるキーボード２６ａ及びＩＣタグリーダ２６ｂからの入力信号を基に、ステップＳ２で取得したビンの識別子、医療機関識別子及びオーダ識別子にそれぞれ該当する識別子情報が入力され、ビンの識別子情報、医療機関識別子情報及びオーダ識別子情報が生成される。
【０１０８】
３．検体検査の検体収容工程におけるステップＳ２及びＳ３
第１病院Ｈ１では、患者から検体（標本）の採取が実施され、ビン納品工程で納品したビンに、採取した検体が収容される。医用情報生成装置１１ｂの識別子項目要求部４１ｂでは、入力装置２６としてのキーボード２６ａ（図２に示す）からの入力信号に従って、第１病院Ｈ１で実際に行なっている所要種別が判断され、その所要種別をキーとして、医用情報管理装置１２に識別子項目が要求される。
【０１０９】
医用情報管理装置１２の識別子項目提供部５２では、識別子項目要求部４１ｂからの識別子項目の要求に従って識別子項目取得部５１に、要求に従った識別子項目を検索させる。ステップＳ２において識別子項目取得部５１では、検体検査内の検体収容工程を基に記憶装置に記憶した識別子項目が検索され、検体検査内の検体収容工程に対応する識別子項目が取得される。具体的には、図１７に示したテーブルから、検体検査内の検体収容工程に対応する識別子項目としてビンの識別子、広域患者識別子及びオーダ識別子が取得される。検体検査内の検体収容工程に対応する識別子項目としてのビンの識別子、広域患者識別子及びオーダ識別子は、識別子項目提供部５２から医用情報生成装置１１ｂの識別子項目要求部４１ｂに提供される。
【０１１０】
ステップＳ３において識別子情報生成部４２ｂでは、入力装置２６であるキーボード２６ａ及びＩＣタグリーダ２６ｂからの入力信号を基に、ステップＳ２で取得したビンの識別子、広域患者識別子及びオーダ識別子に識別子情報が入力され、ビンの識別子情報、広域患者識別子情報及びオーダ識別子情報が生成される。
【０１１１】
４．検体検査の検体分析工程におけるステップＳ２及びＳ３
第１病院Ｈ１から検体分析センタＡに、検体が収容された送付され、検体分析センタＡで分析が実施される。同一検体に対して数回の分析が行われる場合もある。その場合には、検体分析工程が、複数回繰り返されることになる。ここでは、検体分析工程内部をさらに、識別子情報を生成する分析実施工程と識別子情報／医用情報を生成する分析結果登録工程との２工程に分けて説明する。なお、分析実施工程で生成される識別子情報と分析結果登録工程で生成される識別子情報／医用情報とを個別に送信してもよいものとする。
【０１１２】
４−１．分析実施工程
医用情報生成装置１１ｃの識別子項目要求部４１ｃでは、入力装置２６としてのキーボード２６ａ（図２に示す）からの入力信号に従って、検体分析センタＡで実際に行なっている所要種別が判断され、その所要種別をキーとして、医用情報管理装置１２に識別子項目が要求される。
【０１１３】
医用情報管理装置１２の識別子項目提供部５２では、識別子項目要求部４１ｃからの識別子項目の要求に従って識別子項目取得部５１に、要求に従った識別子項目を検索させる。ステップＳ２において識別子項目取得部５１では、検体検査内の分析実施工程を基に記憶装置に記憶した識別子項目ＤＢが検索され、検体検査内の分析実施工程に対応する識別子項目が取得される。具体的には、図１７に示したテーブルから、検体検査内の検体収容工程に対応する識別子項目としてビンの識別子、医療機関識別子及び検体検査結果識別子が取得される。検体検査内の検体収容工程に対応する識別子項目としてのビンの識別子、広域患者識別子及びオーダ識別子は、識別子項目提供部５２から医用情報生成装置１１ｃの識別子項目要求部４１ｃに提供される。
【０１１４】
ステップＳ３において識別子情報生成部４２ｃでは、入力装置２６であるキーボード２６ａ及びＩＣタグリーダ２６ｂからの入力信号を基に、ステップＳ２で取得したビンの識別子、医療機関識別子及び検体検査結果識別子にそれぞれ該当する識別子情報が入力され、ビンの識別子情報、医療機関識別子情報及び検体検査結果識別子情報が生成される。
【０１１５】
４−２．分析結果記録工程
分析結果記録工程では、医用情報に広域患者識別子情報及びオーダ識別子情報が対応付けられた識別子情報／医用情報が生成される。
【０１１６】
ステップＳ３において識別子情報生成部４２ｃでは、入力装置２６であるキーボード２６ａ及びＩＣタグリーダ２６ｂからの入力信号を基に、ステップＳ２で取得したビンの識別子、医療機関識別子及び検体検査結果識別子にそれぞれ該当する識別子情報が入力され、ビンの識別子情報、医療機関識別子情報及び検体検査結果識別子情報が生成される。
【０１１７】
また、分析結果記録工程では医用情報が発生するので、ステップＳ４において識別子情報／医用情報生成部４３ｃでは、医用情報に、ステップＳ３で生成したビンの識別子情報、医療機関識別子情報及び検体検査結果識別子情報が対応付けた識別子情報／医用情報が生成される。
【０１１８】
ここで、ステップＳ４で識別子情報／医用情報を生成する場合、識別子情報／医用情報生成部４３ｃは、医用情報の参照先データに、ステップＳ３で生成したビンの識別子情報、医療機関識別子情報及び検体検査結果識別子情報を対応付けた識別子情報／参照先データを生成してもよい。その場合、参照先データに該当する参照先に医用情報が送信され、その参照先にて医用情報が管理される。
【０１１９】
図１８は、識別子情報／参照先データの一例をテーブルとして示す図である。
【０１２０】
検体分析センタＡで発生した医用情報は、参照先データとしてのＵＲＬ（Uniform Resource Locator）「ｗｗｗ．ｊｓａ．ｘ  …」に該当する参照先に送られると共に、その参照先データ「ｗｗｗ．ｊｓａ．ｘ  …」が医用情報に対応付けられる。
【０１２１】
５．検体廃棄工程におけるステップＳ２及びＳ３
検体分析センタＡでは、識別子情報生成工程の終了後、検体が廃棄される。医用情報生成装置１１ｃの識別子項目要求部４１ｃでは、入力装置２６としてのキーボード２６ａ（図２に示す）からの入力信号に従って、検体分析センタＡで実際に行なっている種別が判断され、その種別をキーとして、医用情報管理装置１２に識別子項目が要求される。
【０１２２】
医用情報管理装置１２の識別子項目提供部５２では、識別子項目要求部４１ｃからの識別子項目の要求に従って識別子項目取得部５１に、要求に従った識別子項目を検索させる。ステップＳ２において識別子項目取得部５１では、検体検査内の検体収容工程を基に記憶装置に記憶した識別子項目ＤＢが検索され、検体検査内の検体収容工程に対応する識別子項目が取得される。具体的には、図１７に示したテーブルから、検体検査内の検体廃棄工程に対応する識別子項目としてビンの識別子が取得される。検体検査内の検体収容工程に対応する識別子項目としてのビンの識別子は、識別子項目提供部５２から医用情報生成装置１１ｃの識別子項目要求部４１ｃに提供される。
【０１２３】
ステップＳ３において識別子情報生成部４２ｃでは、入力装置２６であるＩＣタグリーダ２６ｂからの入力信号を基に、ステップＳ２で取得したビンの識別子に識別子情報が入力され、ビンの識別子情報が生成される。
【０１２４】
なお、医用情報管理装置１２への識別子情報又は識別子情報／医用情報の送信は、全工程終了後に一括して行なってもよい。その場合は、識別子情報生成部４２及び識別子情報／医用情報生成部４３で生成した識別子情報及び識別子情報／医用情報は、ＩＣタグに書き込まれるか、その識別子情報又は識別子情報／医用情報が書き込まれたＩＣタグを新たに貼付することとする。例えば、最終の工程である検体検査内の廃棄工程で、ＩＣタグに記録された識別子情報及び識別子情報／医用情報を一括して読み込む。
【０１２５】
本発明に係る医用情報管理システム１０Ａの第２実施の形態及び医用情報管理方法によると、広域でユニークとなる広域患者識別子情報を軸として、ローカルにそれぞれ発番される識別子情報との関連を時間的空間的な移動時に通過管理情報ＤＢとして適宜記録する。よって、ローカルの識別子情報を使った医用情報の管理システムを構成することができ、任意の時間や場所で医用情報を照会要求するユーザの視点で医用情報を照会することができる。
【図面の簡単な説明】
【０１２６】
【図１】本発明に係る医用情報管理システムの全体構成を示す概要図。
【図２】医用情報生成装置の構成を示すブロック図。
【図３】医用情報管理装置の構成を示すブロック図。
【図４】本発明に係る医用情報管理システムの第１実施の形態を示すブロック図。
【図５】第２実施の形態に係る医用情報管理方法を示したフローチャート。
【図６】放射線検査内の各工程を示す図。
【図７】識別子項目ＤＢの一例をテーブルとして示す図。
【図８】識別子情報及びその付帯情報の一例をテーブルとして示す図。
【図９】通過管理情報ＤＢの一例をテーブルとして示す図。
【図１０】ログイン画面の一例を示す図。
【図１１】検索条件の指定画面の一例を示す図。
【図１２】表示条件の指定画面の一例を示す図。
【図１３】ユーザ種別情報毎の表示形式の一例を示す図。
【図１４】ユーザ識別子情報毎の表示形式の一例を示す図。
【図１５】本発明に係る医用情報管理システムの第２実施の形態を示すブロック図。
【図１６】検体検査内の各工程を示す図。
【図１７】識別子項目ＤＢの一例をテーブルとして示す図。
【図１８】識別子情報／参照先データの一例をテーブルとして示す図。
【符号の説明】
【０１２７】
１０，１０Ａ  医用情報管理システム
１１，１１ａ，１１ｂ，１１ｃ  医用情報生成装置
１２  医用情報管理装置
１３，１３ａ  医用情報照会装置
４１，４１ａ，４１ｂ，４１ｃ  識別子項目要求部
４２，４２ａ，４２ｂ，４２ｃ  識別子情報生成部
４３，４３ａ，４３ｂ，４３ｃ  識別子情報／医用情報生成部
４４，４４ａ，４４ｂ，４４ｃ  送信部
５１  識別子項目取得部
５２  識別子項目提供部
５３  受信部
５４  通過管理情報生成・記録部
５５  医用情報照会要求受付部
５６  医用情報取得部
５７  医用情報提供部
６１  医用情報照会要求部
【図１】
2007226447.tif 000003
【図２】
2007226447.tif 000004
【図３】
2007226447.tif 000005
【図４】
2007226447.tif 000006
【図５】
2007226447.tif 000007
【図６】
2007226447.tif 000008
【図７】
2007226447.tif 000009
【図８】
2007226447.tif 000010
【図９】
2007226447.tif 000011
【図１０】
2007226447.tif 000012
【図１１】
2007226447.tif 000013
【図１２】
2007226447.tif 000014
【図１３】
2007226447.tif 000015
【図１４】
2007226447.tif 000016
【図１５】
2007226447.tif 000017
【図１６】
2007226447.tif 000018
【図１７】
2007226447.tif 000019
【図１８】
2007226447.tif 000020